(57)【要約】【課題】レンズの調芯の作業性を向上することができるレンズユニットを提供する。【解決手段】第１レンズ１は鏡筒５のレンズ保持部５１に保持させ、第２レンズ２はレンズ保持部材８に保持させる。第１レンズ１を保持した鏡筒５にスペーサ７を挿入し、更に第２レンズ２を保持したレンズ保持部材８を挿入して嵌合させることでレンズユニットの組み立てを行う。このとき、レンズ保持部材８の一部分（鍔部８２）は鏡筒５の外側へ突出する構成とする。これにより、レンズ保持部材８の鏡筒５からの突出部分を冶具などで把持し、レンズ保持部材を移動させることで調芯作業を行うことができる。なお、スペーサ７及びレンズ保持部材８を一体的に形成してもよい。【選択図】図３
2010134376.tif 000002
【特許請求の範囲】
【請求項１】
複数のレンズと、該レンズを内部に保持する鏡筒とを備えるレンズユニットにおいて、
前記鏡筒に内嵌し、一又は複数の前記レンズを保持するレンズ保持部材を備え、
前記鏡筒に内嵌された前記レンズ保持部材の一部が、前記鏡筒の一端から外部へ突出するようにしてあること
を特徴とするレンズユニット。
【請求項２】
前記鏡筒に内嵌し、２つのレンズ間に設けられて軸方向の位置決めを行う筒状のスペーサを備え、
前記レンズ保持部材は、前記スペーサと一体的に形成してあること
を特徴とする請求項１に記載のレンズユニット。
【発明の詳細な説明】
【技術分野】
【０００１】
本発明は、複数のレンズを鏡筒に挿嵌し、レンズの軸合わせ（調芯）を行って固定することにより組み立てられるレンズユニットに関する。
【背景技術】
【０００２】
撮像装置は一般的にレンズユニットを備えており、レンズユニットは略円筒型の鏡筒に複数のレンズを挿嵌した構成をなしている。レンズユニットの組み立ては、鏡筒内に複数のレンズを順次挿入し、レンズの調芯を行った後、例えば接着剤などを用いてレンズを鏡筒に接着固定することで行われる。複数のレンズの間の僅かな位置ずれ又は偏心等が生じた場合、レンズユニットの光学性能が著しく低下するため、レンズの調芯は精度よく行う必要がある。
【０００３】
特許文献１においては、複数のレンズ及びＣＣＤ（Charge Coupled Device）を一体的に備えるカメラユニットのレンズ同士の調芯を容易に行うことができるレンズ調芯装置が提案されている。このレンズ調芯装置は、カメラユニットを前方が上向きとなるように載置するテーブルと、最前端に配置されたレンズを上から押圧するように保持するレンズホルダと、レンズホルダを三次元方向に移動させる駆動機構と、カメラユニットの上方に配置された撮影チャート及びＣＣＤにより撮影された撮影チャートの画像を表示するモニタとを備える。これにより、モニタの表示画像を確認しつつ、駆動機構を適宜に駆動することでレンズ同士の調芯作業を行うことができる。
【０００４】
図７は、従来のレンズユニットの構成を示す断面図である。図において５は、第１レンズ１及び第２レンズ１０２を内部に保持する鏡筒であり、円筒状をなしている。レンズユニットは、第１レンズ１、スペーサ１０７及び第２レンズ１０２が鏡筒５へ順に挿入され、これらが鏡筒５に嵌合された状態でレンズ押さえ６により固定されて構成されている。
【０００５】
また、鏡筒５に第１レンズ１、スペーサ１０７及び第２レンズ１０２が挿嵌された状態においては、第２レンズ１０２の周面の一部が鏡筒５の一端側より外部へ突出するように、鏡筒５及びスペーサ１０７の軸方向の長さが調整してある。レンズユニットの組み立ての際には、第２レンズ１０２の鏡筒５からの突出部分を冶具などで把持し、鏡筒５の中心軸に交差する平面上で第２レンズ１０２の移動及び回転移動等を行うことによって、第１レンズ１との軸を合わせる調芯作業を行うことができる。
【特許文献１】特開２００５−２４９９６号公報
【発明の開示】
【発明が解決しようとする課題】
【０００６】
上述のように、レンズユニットの調芯作業は、鏡筒から突出するレンズの周面を把持して行われるが、これはレンズの表面などを把持するとレンズ面が傷付く虞があり、これを回避するためである。しかしながら、レンズは鏡筒内に確実に固定する必要があるため、鏡筒から突出させることができるレンズの突出量は少なく、レンズの周面を把持しての調芯作業は容易でない。また、レンズと鏡筒との素材が異なることから、素材の組み合わせによっては、レンズを回転させる調芯作業は困難である。更に、調芯作業を行うレンズの外径と鏡筒の内径との差が小さい場合、即ちレンズと鏡筒との隙間が小さい場合には、レンズの調芯作業はより困難化する。
【０００７】
特許文献１に記載のレンズ調芯装置は、レンズホルダによりレンズを保持して移動させることができることを前提とした装置であり、上記の問題を解決し得るものではない。
【０００８】
本発明は、斯かる事情に鑑みてなされたものであって、その目的とするところは、レンズの調芯の作業性を向上することができるレンズユニットを提供することにある。
【課題を解決するための手段】
【０００９】
本発明に係るレンズユニットは、複数のレンズと、該レンズを内部に保持する鏡筒とを備えるレンズユニットにおいて、前記鏡筒に内嵌し、一又は複数の前記レンズを保持するレンズ保持部材を備え、前記鏡筒に内嵌された前記レンズ保持部材の一部が、前記鏡筒の一端から外部へ突出するようにしてあることを特徴とする。
【００１０】
また、本発明に係るレンズユニットは、前記鏡筒に内嵌し、２つのレンズ間に設けられて軸方向の位置決めを行う筒状のスペーサを備え、前記レンズ保持部材は、前記スペーサと一体的に形成してあることを特徴とする。
【００１１】
本発明においては、鏡筒内に保持される複数のレンズのうち、一又は複数のレンズをレンズ保持部材に保持させ、レンズ保持部材を鏡筒に内嵌することでレンズユニットを構成する。レンズ保持部材を移動させることによって、鏡筒に直接保持されたレンズと、レンズ保持部材に保持されたレンズとの調芯を行うことができる。またレンズ保持部材は、鏡筒に内嵌された状態で、その一部が鏡筒の一端から外部へ突出するように、軸方向の鏡筒のサイズ及びレンズ保持部材のサイズ等を調整しておく。これにより、鏡筒から突出するレンズ保持部材の一部を把持して調芯作業を行うことができるため、作業性を向上できる。また、レンズを直接的に把持する必要がないため、調芯作業の際にレンズを傷付けることがない。
【００１２】
また、レンズユニットでは、鏡筒内に保持されるレンズ間に、鏡筒に内嵌する筒状のスペーサを介在させることで、軸方向のレンズの位置決めを行う。上述のレンズ保持部材をレンズユニットが備える場合、鏡筒に直接保持されたレンズとレンズ保持部材との間にスペーサを介在させる構成となる。
そこで、本発明においては、スペーサとレンズ保持部材とを一体的に形成する。スペーサ及びレンズ保持部は、共に鏡筒に内嵌する構成であり、鏡筒内で当接する部材であるため、一体化してもレンズユニットの組み立てを阻害することはない。スペーサ及びレンズ保持部を一体的に形成することによって、レンズ保持部材を有するレンズユニットの部品点数及び組立工程が削減される。
【発明の効果】
【００１３】
本発明による場合は、一又は複数のレンズを保持するレンズ保持部材が、鏡筒に内嵌された状態で、その一部が鏡筒の一端から外部へ突出する構成とすることにより、レンズ保持部材の突出部分を把持して移動させることで、鏡筒に直接保持されたレンズと、レンズ保持部材に保持されたレンズとの調芯を行うことができるため、調芯作業の作業性を向上することができる。よって、レンズの調芯をより精度よく行うことができ、レンズユニットの光学性能の向上に寄与することができる。
【発明を実施するための最良の形態】
【００１４】
（実施の形態１）
以下、本発明をその実施の形態を示す図面に基づき具体的に説明する。図１は、本発明の実施の形態１に係るレンズユニットの構成を示す斜視図であり、図２は同レンズユニットの構成を示す分解斜視図であり、図３は同レンズユニットの構成を示す断面図である。
【００１５】
図において５は、第１レンズ１及び第２レンズ２を内部に保持するための鏡筒であり、円筒状をなしている。実施の形態１に係るレンズユニットは、第１レンズ１、スペーサ７、及び第２レンズ２を保持したレンズ保持部材８が鏡筒５に挿入され、これらが鏡筒５に嵌合した状態でレンズ押さえ６により固定されて構成されている。なお以下においては、鏡筒５の軸方向の第２レンズ２側（図３上側）を正面側といい、第１レンズ１側（図３下側）を背面側という。
【００１６】
第１レンズ１及び第２レンズ２は、例えば硫化亜鉛、ゲルマニウム又はカルコゲナイドガラス等を原料として製造され、８〜１２μｍ帯の赤外線を透過する赤外線レンズである。第１レンズ１は、円板状をなしており、正面側に凸面１１を有し、背面側に凹面１２を有するレンズ、所謂メニスカスレンズである。また第１レンズ１は、正面及び背面の周縁部分を平滑に形成した鍔部１３を有しており、鍔部１３は第１レンズ１をレンズ保持部材８内に保持するための部分である。
【００１７】
同様に、第２レンズ２は、円板状をなしており、正面側に凸面２１を有し、背面側に凹面２２を有するメニスカスレンズである。第２レンズ２は、正面及び背面の周縁部分を平滑に形成した鍔部２３を有しており、鍔部２３は第２レンズ２を鏡筒５内に保持するための部分である。
【００１８】
鏡筒５は、円筒状をなしており、例えばアルミ合金などを用いて製造される。第１レンズ１の直径は鏡筒５の内径より小さく、鏡筒５には第１レンズ１を保持するためのレンズ保持部５１が形成されている。レンズ保持部５１は、鏡筒５の背面側端部の内周面に一周に亘って突設された環状をなし、正面側から背面側へ内径が段階的に小さくなる階段状をなした部分である。レンズ保持部５１は、第１レンズ１の周面１４に接する部分と、第１レンズ１の鍔部１３の背面に接する部分とを有しており、正面側から第１レンズ１を鏡筒５内に挿入して周面１４及び鍔部１３の背面をレンズ保持部５１に接触させることにより、第１レンズ１は鏡筒５のレンズ保持部５１に嵌合し、保持される。
【００１９】
スペーサ７は、円筒状をなしており、鏡筒５と同じ素材（アルミ合金など）を用いて製造される。スペーサ７の外径は鏡筒５の内径と略同じにしてあり、正面側からスペーサ７を鏡筒５内へ挿入して嵌合させることができる。またスペーサ７の内周面は、内径が正面側から背面側へ徐々に小さくなるテーパ状に形成してある。鏡筒５内において、スペーサ７の背面側の端面は第１レンズ１の鍔部１３の正面に当接し、スペーサ７の正面側の端面はレンズ保持部材８の背面側の端面に当接する。即ち、第１レンズ１と第２レンズ２を保持するレンズ保持部材８との間にスペーサ７が介在しており、これにより第１レンズ１と第２レンズ２との位置決めが行われる。
【００２０】
レンズ保持部材８は、円筒状をなしており、鏡筒５及びスペーサ７と同じ素材（アルミ合金など）を用いて製造される。レンズ保持部材８の内径は、第２レンズ２の外径と略同じにしてあり、第２レンズ２を内嵌させて保持することができるようにしてある。レンズ保持部材８の背面側端部には、内周面の一周に亘って内側へ突設された環状のレンズ受け部８１が形成してあり、レンズ受け部８１が第２レンズ２の鍔部２３の背面に当接することによって、第２レンズ２の軸方向の位置決めが行われる。
【００２１】
また、レンズ保持部材８の外径は鏡筒５の内径と略同じにしてあり、第２レンズ２を保持したレンズ保持部材８を正面側から鏡筒５内へ挿入して嵌合させることができる。レンズ保持部材８の正面側端部には、外周面の一周に亘って外側へ突設された鍔部８２が形成されている。第１レンズ１及びスペーサ７を鏡筒５内に挿入して嵌合させた後、第２レンズ２を保持したレンズ保持部材８を鏡筒５内に挿入し、レンズ保持部材８の背面側の端面がスペーサ７に当接した状態においては、レンズ保持部材８の鍔部８２が鏡筒５の正面側端部から外部へ突出するように、鏡筒５、スペーサ７及びレンズ保持部材８の軸方向の長さが調節してある。これにより、第２レンズ２を保持したレンズ保持部材８を鏡筒５内に挿入した後、鏡筒５から露出する鍔部８２を把持し、レンズ保持部材８を軸方向に交差する平面上で移動又は回転させて、第２レンズ２の調芯作業を行うことができる。
【００２２】
また図示は省略するが、鏡筒５の外周面の正面側端部近傍にはねじ溝が形成されており、レンズ押さえ６の内周面に形成されたねじ溝に螺合させることによって、鏡筒５及びレンズ押さえ６の固定を行うことができるようにしてある。レンズ押さえ６は、鏡筒５のねじ溝に螺合するねじ溝が内周面に形成された筒部６１と、この筒部６１の正面側端部から内側へ向けてに設けられ、鏡筒５に挿嵌された第２レンズ２の鍔部２３に当接する押さえ部６２とで構成され、押さえ部６２には第２レンズ２の凸面を露出させるための開口６３が形成されている。レンズ押さえ６を鏡筒５に螺合させることによって、第２レンズ２は軸方向に関してレンズ押さえ６の押さえ部６２及びレンズ保持部材８のレンズ受け部８１の間に挟まれて強固に固定される。
【００２３】
レンズユニットの組み立てを行う場合、まず予め、レンズ保持部材８に第２レンズ２を挿嵌して保持させておく。このとき、レンズ保持部９及び第２レンズ２を接着剤などを用いて固定してもよい。次いで、鏡筒５内に第１レンズ１を挿入してレンズ保持部５１に嵌合させることにより保持させ、スペーサ７を背面側端面が第１レンズ１の鍔部１３に当接するまで挿入して嵌合させる。このとき、第１レンズ１及び鏡筒５を接着剤などを用いて固定してもよい。
【００２４】
次いで、第２レンズ２を保持したレンズ保持部材８を鏡筒５内にスペーサ７の正面側端面に当接するまで挿入して嵌合させた後、第２レンズ２の調芯作業を行う。調芯作業は、鏡筒５の正面側端部から外側へ突出するレンズ保持部材８の突出部分、即ち鍔部８２を冶具などで把持し、レンズ保持部材８を軸方向に交差する平面上で移動又は回転させることで行う。調芯作業の終了後、レンズ押さえ６を鏡筒５の正面側に螺合させることによって、レンズユニットの組み立てが完了する。鏡筒５及びレンズ保持部材８を調芯作業後に接着剤などを用いて固定してもよく、鏡筒５及びレンズ押さえ６を接着剤などを用いて固定してもよい。
【００２５】
以上の構成のレンズユニットは、第２レンズ２をレンズ保持部材８に保持させ、このレンズ保持部材８を鏡筒５に内嵌した構成とすると共に、レンズ保持部材８の一部が鏡筒５から突出する構成とすることにより、鏡筒５からの突出部分を把持してレンズ保持部材８を移動させて第２レンズ２の調芯作業を行うことができる。これにより、調芯作業の作業性を向上させることができるため、レンズの調芯をより精度よく行うことができる。また、調芯作業の際に第２レンズ２を直接的に把持する必要がないため、第２レンズ２を傷付ける虞がない。よって、レンズユニットの光学性能の向上及び信頼性の向上等を実現することができる。
【００２６】
また、調芯作業の際に移動させるレンズ保持部材８の素材をある程度自由に選択することができるため、鏡筒５の素材に対して回転移動などが行いやすい素材でレンズ保持部材８を製造することができ、調芯作業の作業性をより向上させることができる。例えば、レンズ保持部材８を鏡筒５と同じ素材（アルミ合金など）で形成することができる。
【００２７】
また、レンズ保持部材８の正面側端部に外周面の一周に亘って鍔部８２を形成し、レンズ保持部材９を鏡筒５に内嵌させた状態において、鍔部８２が鏡筒５の外部へ突出する構成とすることにより、調芯作業の際に冶具などで把持可能な部分の面積を広げることができるため、作業性をより向上させることができる。
【００２８】
なお、本実施の形態においては、第１レンズ１及び第２レンズ２が赤外線のみを透過する赤外線レンズとしたが、これに限るものではなく、可視光線を透過する通常のレンズであってもよく、その他のレンズであってもよい。また、鏡筒５とレンズ保持部材８とを同じ素材としたが、これに限るものではなく、別の素材であってもよい。また、鏡筒５及びレンズ保持部８の素材はアルミ合金に限らない。また、レンズ保持部材８の正面側端部に鍔部８２を形成しない構成であってもよい。
【００２９】
（実施の形態２）
図４は、本発明の実施の形態２に係るレンズユニットの構成を示す断面図である。実施の形態２に係るレンズユニットとは、第２レンズ２を保持するレンズ保持部材２０８を備えており、このレンズ保持部材２０８は、実施の形態１に係るレンズユニットが備えるレンズ保持部材８とスペーサ７とを一体的に成形した構成をなしている。
【００３０】
即ち、レンズ保持部材２０８は、円筒状をなしており、その外径は鏡筒５の内径と略同じにしてあり、正面側からレンズ保持部材２０８を鏡筒５内へ挿入して嵌合させることができる。鏡筒５内において、レンズ保持部材２０８の背面側の端面は第１レンズ１の鍔部の正面縁部分に当接する。レンズ保持部材２０８の内径は第２レンズ２の外径と略同じにしてあり、レンズ保持部材２０８の軸方向の略中央には、内周面の一周に亘って内側へ突設されたレンズ受け部が形成してある。正面側から第２レンズ２をレンズ保持部材２０８内に挿入し、第２レンズ２の鍔部２３の背面をレンズ受け部８１に当接させることによって、第２レンズ２の軸方向の位置決めが行われる。
【００３１】
また、レンズ保持部材２０８の正面側端部には、外周面の一周に亘って外側へ突設された鍔部８２が形成されている。第１レンズ１を鏡筒５内に挿入して嵌合させた後、第２レンズ２を保持したレンズ保持部材２０８を鏡筒５内に挿入し、レンズ保持部材８の背面側の端面が第１レンズ１の鍔部１３の正面に当接した状態においては、レンズ保持部材２０８の鍔部８２が鏡筒５の正面側端部から外部へ突出するように、鏡筒５及びレンズ保持部材２０８の軸方向の長さが調節してある。これにより、第２レンズ２を保持したレンズ保持部材２０８を鏡筒５内に挿入した後、鏡筒５から露出する鍔部８２を把持し、レンズ保持部材２０８を軸方向に交差する平面上で移動又は回転させて、第２レンズ２の調芯作業を行うことができる。
【００３２】
以上の構成の実施の形態２に係るレンズユニットは、第２レンズ２を保持すると共に調芯作業を行うための部材と、レンズ間の位置決めを行うスペーサとを一体化したレンズ保持部材２０８を備えることによって、実施の形態１に係るレンズユニットと比較して、レンズユニットを構成する部品点数を削減することができ、レンズユニットの組立工程を削減することができる。
【００３３】
なお、実施の形態２に係るレンズユニットのその他の構成は、実施の形態１に係るレンズユニットの構成と同様であるため、同様の箇所には同じ符号を付して詳細な説明を省略する。
【００３４】
（実施の形態３）
図５は、本発明の実施の形態３に係るレンズユニットの構成を示す分解斜視図であり、図６は同レンズユニットの断面図である。上述の実施の形態１及び２に係るレンズユニットはレンズを２つ備える構成であるが、実施の形態３に係るレンズユニットはレンズを３つ備える構成である。
【００３５】
実施の形態３に係るレンズユニットは、第１〜第３のレンズ３０１〜３０３、鏡筒３０５、レンズ押さえ６、スペーサ３０７及びレンズ保持部材３０８を備えている。レンズユニットは、第１レンズ３０１、スペーサ３０７、並びに第２レンズ３０２及び第３レンズ３０３を保持したレンズ保持部材３０８が鏡筒３０５に挿入され、これらが鏡筒３０５に嵌合した状態でレンズ押さえ６により固定されて構成されている。
【００３６】
第１レンズ３０１は、円板状をなしており、正面側に凸面３１１を有し、背面側に凹面３１２を有するレンズである。第１レンズ３０１は、正面及び背面の周縁部分を平滑に形成した鍔部３１３を有しており、鍔部３１３は第１レンズ３０１を鏡筒３０５内に保持するための部分である。また、第２レンズ３０２は、正面側に凹面３２１を有し、背面側に凸面３２２を有するレンズであり、正面及び背面の周縁部分を平滑に形成した鍔部３２３を有している。第３レンズ３０３は、第１レンズ３０１と同様に、正面側に凸面３３１を有し、背面側に凹面３３２を有するレンズであり、正面及び背面の周縁部分を平滑に形成した鍔部３３３を有している。なお、第３レンズ３０３は、第２レンズ３０２より径の大きなレンズである。
【００３７】
鏡筒３０５は、円筒状をなしており、背面側に第１レンズ３０１を保持するためのレンズ保持部３５１が形成されている。レンズ保持部３５１は、鏡筒３０５の背面側端部に内周面の一周に亘って突設された環状をなし、正面側から背面側への内径が段階的に小さくなる階段状をなした部分である。レンズ保持部３５１は、第１レンズ３０１の周面３１４に接する部分と、第１レンズ３０１の鍔部３１３の背面に接する部分とを有しており、正面側から第１レンズ３０１を鏡筒３０５内に挿入して周面３１４及び鍔部３１３の背面をレンズ保持部３５１に接触させることにより、第１レンズ３０１はレンズ保持部４５１に嵌合し、保持される。
【００３８】
スペーサ３０７は、円筒状をなし、外径が鏡筒３０５の内径と略同じであり、正面側からスペーサ３０７を鏡筒３０５内に挿入して嵌合させることができる。またスペーサ３０７の内周面は、内径が正面側から背面側へ徐々に小さくなるテーパ状に形成してある。鏡筒３０５内において、スペーサ３０７の背面側の端面は第１レンズ３０１の鍔部３１３の正面に当接し、スペーサ３０７の正面側の端面はレンズ保持部材３０８の背面側の端面に当接する。
【００３９】
レンズ保持部材３０８は円筒状をなし、その内径は第２レンズ３０２の外径と略同じにしてあり、第２レンズ３０２を内嵌させて保持することができるようにしてある。レンズ保持部材３０８の背面側端部には、内周面の一周に亘って内側へ突設された環状のレンズ受け部３８１が形成してあり、レンズ受け部３８１が第２レンズ３０２の鍔部３２３の背面に当接することによって、第２レンズ３０２の軸方向の位置決めが行われる。なお、第２レンズ３０２は、接着剤などを用いてレンズ保持部材３０８に固定される。
【００４０】
また、レンズ保持部材３０８の正面側端部には、第３レンズ３０３を保持するためのレンズ保持部３８３が形成されている。レンズ保持部３８３は、レンズ保持部材３０８の正面側端部の内径を拡大する態様で、内周面の一周に亘って形成された階段状の部分である。レンズ保持部３８３は、その内径が第３レンズ３０３の外径に略等しく、第３レンズ３０３の周面３３４に接する部分と、第３レンズ３０３の鍔部３３３の背面に接する部分を有している。レンズ保持部材３０８の正面側から第３レンズ３０３を内部に挿入して周面３３４及び鍔部３３３の背面をレンズ保持部３８３に接触させることにより、第３レンズ３０３はレンズ保持部材３０８のレンズ保持部３８３に嵌合し、保持される。
【００４１】
また、レンズ保持部材３０８の外径は鏡筒３０５の内径と略同じにしてあり、第２レンズ３０２及び第３レンズ３０３を保持したレンズ保持部材３０８を正面側から鏡筒３０５内へ挿入して嵌合させることができる。レンズ保持部材３０８の正面側端部には、外周面の一周に亘って外側へ突設された鍔部３８２が形成されている。第１レンズ３０１及びスペーサ３０７を鏡筒５内に挿入して嵌合させた後、第２レンズ３０２及び第３レンズ３０３を保持したレンズ保持部材３０８を鏡筒３０５内に挿入し、レンズ保持部材３０８の背面側の端面がスペーサ３０７に当接した状態においては、レンズ保持部材３０８の鍔部３８２が鏡筒３０５の正面側端部から外部へ突出するように、鏡筒３０５、スペーサ３０７及びレンズ保持部材３０８の軸方向の長さが調節してある。これにより、第２レンズ３０２及び第３レンズ３０３を保持したレンズ保持部材３０８を鏡筒３０５内に挿入した後、鏡筒３０５から露出する鍔部３８２を把持し、レンズ保持部材３０８を軸方向に交差する平面上で移動又は回転させて調芯作業を行うことができる。
【００４２】
鏡筒３０５の外周面の正面側端部近傍にはねじ溝が形成されており、レンズ押さえ６の内周面に形成されたねじ溝に螺合させることによって、鏡筒３０５及びレンズ押さえ６の固定を行うことができるようにしてある。レンズ押さえ６は、鏡筒３０５のねじ溝に螺合するねじ溝が内周面に形成された筒部６１と、この筒部６１の正面側端部から内側へ向けてに設けられ、鏡筒３０５に挿嵌された第３レンズ３０３の鍔部３３３に当接する押さえ部６２とで構成され、押さえ部６２には第３レンズ３０３の凸面３３１を露出させるための開口６３が形成されている。レンズ押さえ６を鏡筒３０５に螺合させることによって、第３レンズ３０３は軸方向に関してレンズ押さえ６の押さえ部６２及びレンズ保持部材３０８のレンズ保持部３８３の間に挟まれて強固に固定される。
【００４３】
実施の形態３に係るレンズユニットの組み立てを行う場合、まず予め、レンズ保持部材３０８に第２レンズ３０２を挿嵌して保持させ、接着剤などを用いて固定しておくと共に、第３レンズ３０３をレンズ保持部３８３に挿嵌して保持させておく。このとき、第３レンズ３０３は接着剤などを用いてレンズ保持部材３０８に固定してもよい。また、第２レンズ３０２と第３レンズ３０３との調芯を行ってもよい。次いで、鏡筒３０５内に第１レンズ３０１を挿入してレンズ保持部３５１に嵌合させることにより保持させ、スペーサ３０７を背面側端面が第１レンズ３０１の鍔部３１３に当接するまで挿入して嵌合させる。このとき、第１レンズ３０１及び鏡筒３０５を接着剤などを用いて固定してもよい。
【００４４】
次いで、第２レンズ３０２及び第３レンズ３０３を保持したレンズ保持部材３０８を鏡筒３０５内にスペーサ３０７の正面側端面に当接するまで挿入して嵌合させた後で調芯作業を行う。調芯作業は、鏡筒３０５の正面側端部から外側へ突出するレンズ保持部材３０８の鍔部３８２を冶具などで把持し、レンズ保持部材３０８を軸方向に交差する平面上で移動又は回転させることで行う。調芯作業の終了後、レンズ押さえ６を鏡筒３０５の正面側に螺合させてことによって、レンズユニットの組み立てが完了する。鏡筒３０５及びレンズ保持部材３０８を調芯作業後に接着剤などを用いて固定してもよく、鏡筒３０５及びレンズ押さえ６を接着剤などを用いて固定してもよい。
【００４５】
以上の構成の実施の形態３に係るレンズユニットは、３つ以上のレンズを備える構成であっても、実施の形態１に係るレンズユニットと同様に、調芯作業を行うレンズをレンズ保持部材４０８に保持させる構成とすることによって、調芯作業の作業性を向上させることができる。
【００４６】
なお、本実施の形態においては、レンズ保持部材３０８が第２レンズ３０２及び第３レンズ３０３の２つのレンズを保持する構成としたが、これに限るものではなく、鏡筒が第１レンズ及び第２レンズを保持し、レンズ保持部材が第３レンズを保持する構成としてもよい。またレンズユニットが第１〜第３レンズ３０１〜３０３の３つのレンズを備える構成としたが、これに限るものではなく、レンズユニットが４つ以上のレンズを備える構成としてもよく、この場合鏡筒に内嵌するレンズ保持部材が保持するレンズの数は任意である。また、実施の形態２に係るレンズユニットと同様に、レンズ保持部材３０８とスペーサ３０７とを一体的に形成してもよい。
【００４７】
なお、実施の形態３に係るレンズユニットのその他の構成は、実施の形態１に係るレンズユニットの構成と同様であるため、同様の箇所には同じ符号を付して詳細な説明を省略する。
【図面の簡単な説明】
【００４８】
【図１】本発明の実施の形態１に係るレンズユニットの構成を示す斜視図である。
【図２】本発明の実施の形態１に係るレンズユニットの構成を示す分解斜視図である。
【図３】本発明の実施の形態１に係るレンズユニットの構成を示す断面図である。
【図４】本発明の実施の形態２に係るレンズユニットの構成を示す断面図である。
【図５】本発明の実施の形態３に係るレンズユニットの構成を示す分解斜視図である。
【図６】本発明の実施の形態３に係るレンズユニットの断面図である。
【図７】従来のレンズユニットの構成を示す断面図である。
【符号の説明】
【００４９】
１  第１レンズ
２  第２レンズ
５  鏡筒
６  レンズ押さえ
７  スペーサ
８  レンズ保持部材
５１  レンズ保持部
８１  レンズ受け部
８２  鍔部
２０８  レンズ保持部材
３０１  第１レンズ
３０２  第２レンズ
３０３  第３レンズ
３０５  鏡筒
３０７  スペーサ
３０８  レンズ保持部材
３８１  レンズ受け部
３８２  鍔部
３８３  レンズ保持部
【図１】
2010134376.tif 000003
【図２】
2010134376.tif 000004
【図３】
2010134376.tif 000005
【図４】
2010134376.tif 000006
【図５】
2010134376.tif 000007
【図６】
2010134376.tif 000008
【図７】
2010134376.tif 000009